(57)【要約】【課題】三相交流回転電機において、簡便な構造で隣接コイル間の分担電圧を緩和する。【解決手段】各相のコイル２０，３０，４０をＹ結線としたステータ１５において、各相コイル２０，３０，４０との間に静電容量を持つように各相コイル２０，３０，４０の表面近傍に各電極板２７，３７，４７を取り付け、各電極板２７，３７，４７と、各相の入力点２５，３５，４５と中性点５０のうちの各電極板２７，３７，４７から遠い方の点と、を各バイパス線３８，３８，４８で接続する。【選択図】図３
2009219234.tif 000002
【特許請求の範囲】
【請求項１】
各相のコイルをＹ結線としたステータを備える三相交流回転電機であって、
ステータの各相コイルの表面近傍に取り付けられ、各相コイルとの間に静電容量を持つ各電極と、
各電極と、各相の入力点または中性点または接地接続部または同相のコイルの１点と、を電気的に接続する各バイパス線と、を有すること、
を特徴とする三相交流回転電機。
【請求項２】
請求項１に記載の三相交流回転電機であって、
各バイパス線は、各電極と、各相の入力点と中性点のうちの各電極から遠い方の点と、を接続すること、
を特徴とする三相交流回転電機。
【請求項３】
請求項２に記載の三相交流回転電機であって、
各電極は各コイルの中性点側に取り付けられ、
各バイパス線は、各電極と、各相の入力点と、を接続すること、
を特徴とする三相交流回転電機。
【請求項４】
請求項２に記載の三相交流回転電機であって、
各電極は各コイルの各入力点側に取り付けられ、
各バイパス線は、各電極と中性点とを接続すること、
を特徴とする三相交流回転電機。
【請求項５】
請求項１から４のいずれか１項に記載の三相交流回転電機において、
各電極は、各誘電部材を介して各コイル表面近傍に取り付けられること、
を特徴とする三相交流回転電機。
【請求項６】
請求項５に記載の三相交流回転電機において、
各誘電部材は、絶縁紙であること、
を特徴とする三相交流回転電機。
【請求項７】
請求項１から４のいずれか１項に記載の三相交流回転電機において、
各電極は、各入力点と中性点との間にあるスリーブ線を介して各コイル表面近傍に取り付けられること、
を特徴とする三相交流回転電機。
【発明の詳細な説明】
【技術分野】
【０００１】
本発明は、三相交流回転電機の構造に関する。
【背景技術】
【０００２】
モータを駆動源とする電気車両や、エンジンと共にモータを駆動源とするハイブリッド車両などの電動車両が多く用いられている。このような電動車両では、モータと発電機の双方の機能を併せ持つモータジェネレータを搭載し、車両の減速の際或いは坂路を下る際にモータジェネレータを発電機として機能させ、動力を電力として回収する電力回生を行い燃費の向上を図っているものがある。また、モータジェネレータの速度制御等を効率的に行うために、インバータによる周波数変換によってモータジェネレータを駆動しているものが多い。
【０００３】
しかし、インバータはスイッチング素子のスイッチング動作によって周波数を変換するものであることから、スイッチング素子のオン、オフのタイミングでモータジェネレータの巻線間に通常の交流電流で駆動する際の電圧よりも高い急峻なサージ電圧が発生することがある。そして、急峻なサージ電圧により特定のコイルに電圧が集中し、隣接するコイルとの間の電位差が大きくなり、コイル間の絶縁が劣化する場合がある。
【０００４】
そこで、特許文献１には、モータの複数の巻線をそれぞれ二分割し、二分割された各巻線の各巻き始めと各巻き終わりとを接続するとともに各接続部の間にコンデンサを接続することによって、各巻線間の分担電圧を緩和し、巻線間の絶縁劣化を防止する方法が提案されている。また、特許文献１には、従来技術として、直列に接続された複数の巻線の各巻き始めと各巻き終わりとの間に各巻線と並列にコンデンサを接続する方法が記載されている。
【０００５】
【特許文献１】特開２００５―６５３６３号公報
【発明の開示】
【発明が解決しようとする課題】
【０００６】
特許文献１に記載された従来技術は、同一コイル内の分担電圧は緩和されるものの隣接するコイル群間の分担電圧の低減効果が少ないという問題があった。また、特許文献１に記載された従来技術は、複数のコイルを直列に接続した回転電機のコイルの接続部分にコンデンサを接続して各コイル間の分担電圧を緩和しようとするものであるので、コンデンサを接続することができる各コイルの接続部分の導体が必要であることから、コイルに接続部分のない集中巻きのコイルや各コイルの接続部分の導体を回転電機の外部に取り出せない場合には各コイル間の分担電圧を緩和できないという問題があった。また、巻き始めと巻き終わりの電線を取り出して溶接するという工程が必要なため、製造に手間がかかること及び、並列に巻かれたコイル全てにコンデンサを設置することが必要となるため、回転電機が大型となってしまうという問題があった。
【０００７】
そこで、本発明は、簡便な構造で隣接コイル間の分担電圧を緩和することを目的とする。
【課題を解決するための手段】
【０００８】
本発明の三相交流回転電機は、各相のコイルをＹ結線としたステータを備える三相交流回転電機であって、ステータの各相コイルの表面近傍に取り付けられ、各相コイルとの間に静電容量を持つ各電極と、各電極と、各相の入力点または中性点または接地接続部または同相のコイルの１点と、を電気的に接続する各バイパス線と、を有することを特徴とする。
【０００９】
本発明の三相交流回転電機において、各バイパス線は、各電極と、各相の入力点と中性点のうちの各電極から遠い方の点と、を接続すること、としても好適である。
【００１０】
本発明の三相交流回転電機において、各電極は各コイルの中性点側に取り付けられ、各バイパス線は、各電極と、各相の入力点と、を接続すること、としても好適であるし、各電極は各コイルの各入力点側に取り付けられ、各バイパス線は、各電極と中性点とを接続すること、としても好適である。
【００１１】
本発明の三相交流回転電機において、各電極は、各誘電部材を介して各コイル表面近傍に取り付けられること、としても好適であるし、各誘電部材は、絶縁紙であること、としても好適であるし、各電極は、各入力点と中性点との間にあるスリーブ線を介して各コイル表面近傍に取り付けられること、としても好適である。
【発明の効果】
【００１２】
本発明は、簡便な構造で隣接コイル間の分担電圧を緩和することができるという効果を奏する。
【発明を実施するための最良の形態】
【００１３】
以下、本発明を実施するための好適な実施形態について説明する。図１に示すように、本実施形態の三相交流回転電機１０は、ステータ１５と、ステータ１５が組み込まれるケーシングと、ステータ１５の内部に配置されるロータとを備えている。図１においては、ケーシング、ロータの図示は省略してある。図１に示すステータ１５は、円筒状で内径側にコイルが巻かれる複数のティースが設けられたステータコア７１と、ステータコア７１に巻かれたＵ相コイル２０、Ｖ相コイル３０、Ｗ相コイル４０とを備えている。各相のコイル２０，３０，４０はエナメルで絶縁被覆されたエナメル電線をステータコア７１のティースに巻くことによって形成される。各相のコイル２０，３０，４０はＹ結線となっているので、ステータ１５は、Ｕ，Ｖ，Ｗの各相の電力が入力される各相の入力点２５，３５，４５と、各相のコイル２０，３０，４０が一点に接続された中性点５０とを有している。各コイル２０，３０，４０の入力点２５，３５，４５の端部と各入力点２５，３５，４５との間は外面を樹脂などの絶縁体で被覆されたスリーブ線２９，３９，４９で接続され、各相のコイル２０，３０，４０の中性点５０側の各端部と中性点５０との間も各スリーブ線５１，５２，５３で接続されている。中性点５０はコイルエンド部７２にボルト等によって固定されている。
【００１４】
Ｕ相コイル２０のコイルエンド部７２の外表面には、金属製の電極板２７が取り付けられている。また、図１には示していないが、Ｖ相、Ｗ相の各コイル３０，４０のコイルエンド部７２の外表面にもそれぞれ金属製の電極板３７，４７が取り付けられている。各電極板２７，３７，４７には電線であるバイパス線２８，３８，４８が接続され、各バイパス線２８，３８，４８はそれぞれ各相の入力点２５，３５，４５に接続されている。
【００１５】
図２に示すように、各コイル２０，３０，４０は銅線２０ａ，３０ａ，４０ａの周囲をエナメル２０ｂ，３０ｂ，４０ｂで絶縁被覆されたエナメル線２０ｃ，３０ｃ，４０ｃによって構成されている。エナメル線２０ｃ，３０ｃ，４０ｃはステータコア７１のティースに巻きつけられて、各相のコイル２０，３０，４０を構成した後、その外面にワニス２６，３６，４６が塗布され、ワニス２６，３６，４６の外面には各電極板２７，３７，４７が密着して取り付けられている。そして、各電極板２７，３７，４７は各コイル２０，３０，４０の各銅線２０ａ，３０ａ，４０ａとの間に静電容量Ｃを有するように構成されている。
【００１６】
以上説明したステータ１５の等価回路である図３を参照しながら、本実施形態の電気的な接続状態について説明する。先に図１を参照して説明したように、ステータ１５はＵ，Ｖ，Ｗの各相のコイル２０，３０，４０がＹ結線され、中性点５０と各相の入力点２５，３５，４５とを備えている。Ｕ相コイル２０はＵ相の入力点２５側から中性点５０に向かって直列に接続されたＵ相第１コイル２１からＵ相第４コイル２４までの４つのコイルを備えている。同様にＶ相、Ｗ相の各相コイル３０，４０も、それぞれＶ相の入力点３５から中性点５０に向かって直列に接続されたＶ相第１コイル３１からＶ相第４コイル３４と、Ｗ相の入力点４５から中性点５０に向かって直列に接続されたＷ相第１コイル４１からＷ相第４コイル４４を備えている。
【００１７】
Ｕ相第１コイル２１からＵ相第４コイル２４はそれぞれ静電容量Ｃ１の対地容量６１を有しており、隣接する各コイル間には静電容量Ｃ２の浮遊容量６２を有している。Ｖ相、Ｗ相の各第１コイル３１，４１から第４コイル３４，４４も同様に対地容量６１と隣接する各コイル間の浮遊容量６２とを有している。
【００１８】
図３に示すように、直列に接続された各相の４つのコイルのうち、各相の中性点５０側にある各相の第４コイル２４，３４，４４の外面にはワニス２６，３６，４６を介して各相の電極板２７，３７，４７が取り付けられている。各電極板２７，３７，４７に接続された各バイパス線２８，３８，４８は、各電極板２７，３７，４７から中性点５０よりも遠い方にある各相の入力点２５，３５，４５に接続されている。各電極板２７，３７，４７と各コイル２０，３０，４０との間の静電容量はＣである。各電極板２７，３７，４７と各第４コイル２４，３４，４４との間の静電容量Ｃは対地容量６１の静電容量Ｃ１、浮遊容量６２の静電容量Ｃ２の数倍から１０倍の容量である。各電極板２７，３７，４７は各コイル２０，３０，４０との間に静電容量Ｃを持つように各コイル２０，３０，４０の表面近傍に取り付けられていればよく、ワニス２６，３６，４６と共にまたはワニス２６，３６，４６の代わりに絶縁紙などの誘電部材を介して各コイル２０，３０，４０に取り付けられていてもよい。
【００１９】
以上のように構成された三相交流回転電機１０の動作について説明する。ここではＵ相の入力点２５に電圧が入力された場合について説明する。インバータのスイッチング素子のスイッチング動作の瞬間に、Ｕ相の入力点２５にはインバータから急峻なサージ電圧が入力される。そして、急峻なサージ電圧に伴う高周波電流はＵ相第１コイル２１に流れこんだ後、Ｕ相第１コイル２１よりも高周波電流に対するインピーダンスの小さい対地容量６１及び浮遊容量６２に流れ込み、再び対地容量６１を介してＶ相の第１コイル３１、Ｗ相の第１コイル４１に流れこもうとする。また、高周波電流は対地容量６１からケーシングまたはステータコア７１に流れ、コモンモード電流としてインバータ側に流れようとする。Ｕ相の入力点２５に入力された高周波電流がＵ相第１コイル２１から対地容量６１或いは浮遊容量６２に向かって電流Ｉ０として流れた場合には、Ｕ相第１コイル２１には高周波電流が集中し、Ｕ相第１コイル２１の分担電圧Ｖ１が上昇し、隣接するＵ相第２コイル２２との間に高い電位差を生じる。
【００２０】
しかし、図３に示すように、本実施形態では、中性点５０の側にあるＵ相第４コイル２４の表面に対地容量６１、浮遊容量６２の数倍から１０倍の静電容量Ｃを持つように電極板２７が取り付けられ、電極板２７とＵ相の入力点２５とはバイパス線２８によって接続されている。コンデンサは静電容量が大きいほど高周波数でのインピーダンスが小さく、電流が流れこみやすい特性を持っている。このため、Ｕ相の入力点２５にかかった高周波電流は、対地容量６１、浮遊容量６２よりも静電容量が大きく、インピーダンスの小さい電極板２７に向かって電流Ｉ１のように流れる。そして、電極板２７に流れこんだ電流Ｉ１は、Ｕ相第４コイル２４からスリーブ線５１を通って中性点５０に流れ込む。
【００２１】
このように、本実施形態では、Ｕ相の入力点２５からＵ相の入力点側にあるＵ相第１コイル２１を通過して対地容量６１或いは浮遊容量６２に向かう高周波の電流Ｉ０を抑制し、Ｕ相の入力点２５からバイパス線２８を通して中性点５０に流れ込む高周波の電流Ｉ１を大きくするように構成しているので、Ｕ相第１コイル２１の分担電圧Ｖ１の上昇を緩和することができる。そして、Ｕ相第１コイル２１の分担電圧Ｖ１の上昇を抑えることができるので、隣接するＵ相第２コイル２２との間の電位差を緩和することができ、隣接コイル間の絶縁低下を抑制することができるという効果を奏する。
【００２２】
Ｖ相の入力点３５、Ｗ相の入力点４５にインバータのスイッチング素子による高周波電流が入力された場合も、Ｕ相の場合と同様に、Ｖ相、Ｗ相の入力点３５，４５からＶ相、Ｗ相の入力点３５，４５側にあるＶ相、Ｗ相第１コイル３１，４１を通過して対地容量６１或いは浮遊容量６２に向かう高周波の電流Ｉ０を抑制し、Ｖ相、Ｗ相の入力点３５，４５から各バイパス線３８，４８を通して中性点５０に流れ込む高周波の電流Ｉ１を大きくするように構成しているので、Ｖ相、Ｗ相第１コイル３１，４１の分担電圧Ｖ１の上昇を緩和することができる。そして、Ｖ相、Ｗ相第１コイル３１，４１の分担電圧Ｖ１の上昇を抑えることができるので、隣接するＶ相、Ｗ相第２コイル３２，４２との間の電位差を緩和することができ、隣接コイル間の絶縁低下を抑制することができる。
【００２３】
また、本実施形態では、各相のコイル２０，３０，４０の表面近傍に金属製の電極板２７，３７，４７を取り付けることによって各コイル２０，３０，４０との間に対地容量６１，浮遊容量６２よりも大きい静電容量Ｃを持たせる構造としていることから、簡便な構造で隣接コイル間の分担電圧を緩和することができるという効果を奏する。更に、電極板２７，３７，４７の大きさ、位置を変更することによって簡便に各相コイル２０，３０，４０のターン間の分担電圧を緩和するようにすることができる。
【００２４】
上記の本実施形態の説明においては、各相の第１コイル２１，３１，４１の分担電圧が緩和されることについて説明したが、分担電圧の緩和は各相の入力点２５，３５，４５に近い各相の第１コイル２１，３１，４１のみではなく、各相の第１コイル２１，３１，４１から各相の第３コイル２３，３３，４３の間の連続コイルの分担電圧も緩和できる。図４に示すように、各相の第１コイル２１，３１，４１から各相の第３コイル２３，３３，４３の間の連続コイルの分担電圧Ｖ１３は、各電極板２７，３７，４７と各バイパス線２８，３８，４８を設けない場合の変化を示す曲線ａから、各電極板２７，３７，４７と各バイパス線２８，３８，４８を設けた場合の変化を示す曲線ｂのように低減される。これによって各相の第１コイル２１，３１，４１から各相の第３コイル２３，３３，４３の間の連続コイルと隣接する各相の第４コイル２４，３４，４４との間の電位差を緩和することができ、隣接コイル間の絶縁低下を抑制することができるという効果を奏する。
【００２５】
以上説明した本実施形態では、各電極板２７，３７，４７に接続されたバイパス線２８，３８，４８を各相の入力点２５，３５，４５に接続することとして説明したが、各バイパス線２８，３８，４８を同相のコイルの一点に接続するように構成してもよい。この場合の効果は本実施形態と同様である。また、本実施形態では、各電極板２７，３７，４７を各コイル２０，３０，４０の表面にワニス２６，３６，４６を介して取り付けることとして説明したが、ステータ１５の各スリーブ線２９，３９，４９が各相の第４コイル２４，３４，４４を渡って配置されているような場合には、各電極板２７，３７，４７を各スリーブ線２９，３９，４９の表面に取り付けるように構成してもよい。
【００２６】
図５及び図６を参照しながら、他の実施形態について説明する。図１から図４を参照して説明した部分には同様の符号を付して説明は省略する。図５に示すように本実施形態の三相交流回転電機１０のステータ１５は、各コイル２０，３０，４０のコイルエンド部７２の表面近傍に取り付けられた各電極板２７，３７，４７に接続された各バイパス線２８，３８，４８を中性点５０に接続するように構成したものである。
【００２７】
図６に示すように、本実施形態では、直列に接続された各相の４つのコイルのうち、各相の入力点２５，３５，４５側にある各相の第１コイル２１，３１，４１の外面にワニス２６，３６，４６を介して各相の電極板２７，３７，４７が取り付けられている。各電極板２７，３７，４７に接続された各バイパス線２８，３８，４８は各相の電極板２７，３７，４７から各相の入力点２５，３５，４５よりも遠い方にある中性点５０に接続されている。
【００２８】
以上のように構成された三相交流回転電機１０の動作について説明する。本実施形態では、Ｕ相の入力点２５の側にあるＵ相第１コイル２１の表面に対地容量６１、浮遊容量６２の数倍から１０倍の静電容量Ｃを持つように電極板２７が取り付けられ、電極板２７と中性点５０とはバイパス線２８によって接続されている。Ｕ相の入力点２５に入力された高周波電流は、対地容量６１、浮遊容量６２よりも静電容量が大きく、インピーダンスの小さい電極板２７からバイパス線２８を通って中性点５０に向かって電流Ｉ２のように流れこむ。一方、電極板２７よりも静電容量の小さい対地容量６１，浮遊容量６２には電流がほとんど流れなくなるので電流Ｉ０は抑制される。
【００２９】
このように、本実施形態では、Ｕ相の入力点２５からＵ相の入力点２５側にあるＵ相第１コイル２１を通過して対地容量６１或いは浮遊容量６２に向かう高周波の電流Ｉ０を抑制し、Ｕ相のＵ相第１コイル２１からバイパス線２８を通して中性点５０に流れ込む高周波の電流Ｉ２を大きくするように構成しているので、Ｕ相第１コイル２１の分担電圧の上昇を緩和することができる。そして、隣接するＵ相第２コイル２２との間の電位差を緩和することができるので、隣接コイル間の絶縁低下を抑制することができるという効果を奏する。また、先に説明した実施形態と同様、簡便な構造で隣接コイル間の分担電圧を緩和することができるという効果を奏する。
【００３０】
以上説明した本実施形態では、各電極板２７，３７，４７に接続されたバイパス線２８，３８，４８を中性点５０に接続することとして説明したが、各バイパス線２８，３８，４８を同相のコイルの一点に接続するように構成してもよい。この場合の効果は本実施形態と同様である。また、本実施形態では、各電極板２７，３７，４７を各コイル２０，３０，４０の表面にワニス２６，３６，４６を介して取り付けることとして説明したが、ステータ１５の各スリーブ線２９，３９，４９が各相の第１コイル２１，３１，４１を渡って配置されているような場合には、各電極板２７，３７，４７を各スリーブ線２９，３９，４９の表面に取り付けるように構成してもよい。
【００３１】
図７及び図８を参照しながら、他の実施形態について説明する。図１から図４を参照して説明した部分には同様の符号を付して説明は省略する。図７に示すように本実施形態の三相交流回転電機１０のステータ１５は、各コイル２０，３０，４０のコイルエンド部７２の表面近傍に取り付けられた各電極板２７，３７，４７に接続された各バイパス線２８，３８，４８を接地接続部であるステータコア７１に接続するように構成したものである。
【００３２】
図８に示すように、本実施形態では、直列に接続された各相の４つのコイルのうち、各相の入力点２５，３５，４５と中性点５０との中間にある各相の第２コイル２２，３２，４２の外面にワニス２６，３６，４６を介して各相の電極板２７，３７，４７が取り付けられている。各電極板２７，３７，４７に接続された各バイパス線２８，３８，４８は接地接続部であるステータコア７１に接続されている。
【００３３】
以上のように構成された三相交流回転電機１０の動作について説明する。インバータのスイッチング素子のスイッチング動作の瞬間に、Ｕ相の入力点２５にはインバータから急峻なサージ電圧が入力される。そして、急峻なサージ電圧に伴う高周波電流はＵ相第１コイル２１に流れこんだ後、Ｕ相第１コイル２１よりも高周波電流に対するインピーダンスの小さい対地容量６１及び浮遊容量６２に流れ込み、再び対地容量６１を介してＶ相第１コイル３１、Ｗ相第１コイル４１に流れこもうとする。また、高周波電流は対地容量６１からケーシングまたはステータコア７１に流れコモンモード電流としてインバータ側に流れようとする。Ｕ相の入力点２５にかかった高周波の電流がＵ相第１コイル２１から対地容量６１或いは浮遊容量６２に向かって電流Ｉ０として流れた場合には、Ｕ相第１コイル２１には高周波電流が集中し、Ｕ相第１コイル２１の分担電圧が上昇し、隣接するＵ相第２コイル２２との間に高い電位差を生じる。
【００３４】
しかし、図８に示すように、本実施形態では、Ｕ相第２コイル２２の表面に対地容量６１、浮遊容量６２の数倍から１０倍の静電容量Ｃを持つように電極板２７が取り付けられ、電極板２７はステータコア７１を介して接地接続されている。コンデンサは静電容量が大きいほど高周波数でのインピーダンスが小さく、電流が流れこみやすい特性を持っている。このため、Ｕ相の入力点２５に入力された高周波電流は、対地容量６１、浮遊容量６２よりもインピーダンスの小さい電極板２７から接地されているステータコア７１に向かって電流Ｉ３のように流れる。そして、電極板２７からステータコア７１に流れこんだ電流Ｉ３は、対地容量６１を介してＵ相第１コイル２１、第３コイル２３、第４コイル２４に流れ、各コイル２１，２３，２４から対地容量６１を通して接地されているステータコア７１に流れようとする電流Ｉ０を抑制する。
【００３５】
このように、本実施形態では、Ｕ相第２コイル２２からステータコア７１に流れる電流Ｉ３によって、Ｕ相の入力点２５からＵ相第１コイル２１を通過して対地容量６１或いは浮遊容量６２に向かう高周波の電流Ｉ０を抑制しているので、Ｕ相第１コイル２１の分担電圧Ｖ１の上昇を緩和することができる。そして、隣接する各２コイル間の電位差を緩和することができ、隣接コイル間の絶縁低下を抑制することができるという効果を奏する。また、先に説明した実施形態と同様、簡便な構造で隣接コイル間の分担電圧を緩和することができるという効果を奏する。本実施形態では、接地接続部をステータコア７１として説明したが、ステータコア７１ではなくケーシングに接続するように構成してもよい。
【００３６】
本実施形態では、各電極板２７，３７，４７を各コイル２０，３０，４０の表面にワニス２６，３６，４６を介して取り付けることとして説明したが、ステータ１５の各スリーブ線２９，３９，４９が各相の第２コイル２２，３２，４２を渡って配置されているような場合には、各電極板２７，３７，４７を各スリーブ線２９，３９，４９の表面に取り付けるように構成してもよい。
【図面の簡単な説明】
【００３７】
【図１】本発明の実施形態における三相交流回転電機のステータを示す斜視図である。
【図２】本発明の実施形態における三相交流回転電機のステータへの電極板の取付を示す説明図である。
【図３】本発明の実施形態における三相交流回転電機のステータの等価回路図である。
【図４】本発明の実施形態における三相交流回転電機のステータの分担電圧の変化を示す図である。
【図５】本発明の他の実施形態における三相交流回転電機のステータを示す斜視図である。
【図６】本発明の他の実施形態における三相交流回転電機のステータの等価回路図である。
【図７】本発明の他の実施形態における三相交流回転電機のステータを示す斜視図である。
【図８】本発明の他の実施形態における三相交流回転電機のステータの等価回路図である。
【符号の説明】
【００３８】
１０ 三相交流回転電機、１５  ステータ、２０，３０，４０  コイル、２０ａ，３０ａ，４０ａ  銅線、２０ｂ，３０ｂ，４０ｂ  エナメル、２０ｃ，３０ｃ，４０ｃ  エナメル線、２１，３１，４１  第１コイル、２２，３２，４２  第２コイル、２３，３３，４３  第３コイル、２４，３４，４４  第４コイル、２５，３５，４５  入力点、２６，３６，４６  ワニス、２７，３７，４７  電極板、２８，３８，４８  バイパス線、２９，３９，４９，５１，５２，５３  スリーブ線、５０  中性点、６１  対地容量、６２  浮遊容量、７１  ステータコア、７２  コイルエンド部、Ｃ，Ｃ１，Ｃ２，  静電容量、Ｉ０，Ｉ１，Ｉ２，Ｉ３  電流、Ｖ１，Ｖ１３  分担電圧。
【図１】
2009219234.tif 000003
【図２】
2009219234.tif 000004
【図３】
2009219234.tif 000005
【図４】
2009219234.tif 000006
【図５】
2009219234.tif 000007
【図６】
2009219234.tif 000008
【図７】
2009219234.tif 000009
【図８】
2009219234.tif 000010